【事件の表示】
　特許第３４０３３２０号「空気調和機用ワイヤレスリモコン」の請求項１ないし８に係る特許に対する特許異議の申立てについて、次のとおり決定する。
【結　論】
　訂正を認める。
　特許第３４０３３２０号の請求項１ないし２に係る特許を維持する。
【理　由】
１．手続の経緯
　特許第３４０３３２０号の発明についての出願は、平成９年７月８日に出願され、平成１５年２月２８日にその発明について特許権の設定登録がなされ、その後、三菱電機株式会社より特許異議の申立てがなされ、取消しの理由が通知がなされ、その指定期間内である平成１６年５月２５日に訂正請求がなされたものである。
　
２．訂正の適否
（１）訂正の内容
　特許権者が求めている訂正の内容は、以下のとおりである。
　
・訂正事項１
　願書に添付した明細書（以下、「特許明細書」という。）の特許請求の範囲の請求項１を削除する。
・訂正事項２
　特許明細書の特許請求の範囲の請求項２を請求項１として、
「【請求項１】　空気調和機本体の運転を遠隔制御するための操作部と、この操作部の操作により設定された上記運転の設定内容を表示する表示部とを有する空気調和機用ワイヤレスリモコンにおいて、上記表示部は、上記設定内容のうち所定の基本的な設定内容を示す文字や記号を予め決められた位置に固定表示する第１の表示領域と、設定内容が変更されたときに、変更後の設定内容を強調表示する第２の表示領域とを具備し、上記第２の表示領域は、設定内容に変更がないときには、上記第１の表示領域で表示される第１の設定内容以外の第２の設定内容を常時表示し、設定内容が変更されたときに、その変更内容を所定時間拡大文字または拡大記号により表示し、その後再び上記常時表示に戻る構成であることを特徴とする空気調和機用ワイヤレスリモコン。」と訂正する。
・訂正事項３
　特許明細書の特許請求の範囲の請求項３を削除する。
・訂正事項４
　特許明細書の特許請求の範囲の請求項４を削除する。
・訂正事項５
　特許明細書の特許請求の範囲の請求項５を削除する。
・訂正事項６
　特許明細書の特許請求の範囲の請求項６を削除する。
・訂正事項７
　特許明細書の特許請求の範囲の請求項７を請求項２として、
「【請求項２】　空気調和機本体の運転を遠隔制御するための操作部と、この操作部の操作により設定された上記運転の設定内容を表示する表示部とを有する空気調和機用ワイヤレスリモコンにおいて、上記表示部は、上記設定内容のうち所定の基本的な設定内容を示す文字や記号を予め決められた位置に固定表示する第１の表示領域と、設定内容が変更されたときに、変更後の設定内容を強調表示する第２の表示領域とを具備し、上記操作部の操作により設定された設定内容を確認するための設定内容確認ボタンを有し、この設定内容確認ボタンが操作されたとき、上記第１の表示領域で表示されている表示内容を上記第２の表示領域で拡大して表示した後、設定内容を所定時間毎に順次表示し、前記所定時間を表示する設定内容によって異ならせることを特徴とする空気調和機用ワイヤレスリモコン。」と訂正する。
・訂正事項８
　特許明細書の特許請求の範囲の請求項８を削除する。
・訂正事項９
　特許明細書の段落番号【０００６】を、
「【課題を解決するための手段】
請求項１記載の発明は、空気調和機本体の運転を遠隔制御するための操作部と、この操作部の操作により設定された上記運転の設定内容を表示する表示部とを有する空気調和機用ワイヤレスリモコンにおいて、上記表示部は、上記設定内容のうち所定の基本的な設定内容を示す文字や記号を予め決められた位置に固定表示する第１の表示領域と、設定内容が変更されたときに、変更後の設定内容を強調表示する第２の表示領域とを具備し、上記第２の表示領域は、設定内容に変更がないときには、上記第１の表示領域で表示される第１の設定内容以外の第２の設定内容を常時表示し、設定内容が変更されたときに、その変更内容を所定時間拡大文字または拡大記号により表示し、その後再び上記常時表示に戻る構成であることを特徴とする。」と訂正する。
・訂正事項１０
　特許明細書の段落番号【０００７】、【０００８】を削除する。
・訂正事項１１
　特許明細書の段落番号【０００９】を、
「この発明によれば、設定内容が変更されたときに変更後の設定内容を第２の表示領域で強調して表示しているので、その設定内容の変更をユーザーに喚起して視認性をさらに向上させることができる。
　また、基本的な設定内容以外の所定の設定内容については第２の表示領域で常時表示するので、この設定内容を第１の表示領域で表示する必要がない。したがって、その分、第１の表示領域の表示スペースを節約することができるので、第１の表示領域の表記を拡大して視認性を向上させることができる。」と訂正する。
・訂正事項１２
　特許明細書の段落番号【００１０】ないし【００１７】を削除する。
・訂正事項１３
　特許明細書の段落番号【００１８】を、
「請求項２記載の発明は、空気調和機本体の運転を遠隔制御するための操作部と、この操作部の操作により設定された上記運転の設定内容を表示する表示部とを有する空気調和機用ワイヤレスリモコンにおいて、上記表示部は、上記設定内容のうち所定の基本的な設定内容を示す文字や記号を予め決められた位置に固定表示する第１の表示領域と、設定内容が変更されたときに、変更後の設定内容を強調表示する第２の表示領域とを具備し、上記操作部の操作により設定された設定内容を確認するための設定内容確認ボタンを有し、この設定内容確認ボタンが操作されたとき、上記第１の表示領域で表示されている表示内容を上記第２の表示領域で拡大して表示した後、設定内容を所定時間毎に順次表示し、前記所定時間を表示する設定内容によって異ならせることを特徴とする。」と訂正する。
・訂正事項１４
　特許明細書の段落番号【００２０】、【００２１】を削除する。
　
（２）訂正の目的の適否、新規事項の有無、及び特許請求の範囲の拡張・変更の存否
　上記訂正事項１、３ないし６、８の訂正は、特許請求の範囲の減縮を目的とした明細書の訂正に該当し、上記訂正事項２、７は、上記訂正事項１に付随して、従属形式から独立形式に訂正するものであって、明りょうでない記載の釈明を目的とした明細書の訂正に該当し、上記訂正事項９ないし１４は、上記訂正事項１ないし８の訂正と整合を図るものであるから、明りょうでない記載の釈明を目的とした明細書の訂正に該当し、いずれの訂正事項も、新規事項の追加に該当せず、実質上特許請求の範囲を拡張し、又は変更するものではない。
　
（３）むすび
　したがって、上記訂正は、特許法第１２０条の４第３項で準用する同法第１２６条第２、３項の規定に適合するので、当該訂正を認める。
　
３．特許異議申立てについての判断
（１）特許異議申立ての概要
　特許異議申立人　三菱電機株式会社は、甲第１号証（実願平１−９５０２６号（実開平３−３３４６１号）のマイクロフィルム。）、甲第２号証（特開平９−１７０８０２号公報）、甲第３号証（特開平４−８４９４５号公報）、甲第４号証（特開平５−２０８０６２号公報）を提出し、本件特許の請求項１ないし８に係る発明は、甲第１号証ないし甲第４号証に記載された発明に基づいて、当業者が容易に発明をすることができたものであるから、それら発明についての特許は、特許法第２９条第２項の規定に違反してなされたものであるから、取り消すべき旨の主張をしている。
　
（２）本件発明
　上記「２．訂正の適否」で示したように、上記訂正が認められるから、本件特許の請求項１、請求項２に係る発明（以下、「本件発明１」、「本件発明２」という。）は、訂正明細書の特許請求の範囲の請求項１、請求項２に記載された事項により特定されるとおりのものである。（上記「２．訂正の適否）の訂正事項２、訂正事項７を参照）
　
（３）甲号各証に記載された事項
　甲第１号証（実願平１−９５０２６号（実開平３−３３４６１号）のマイクロフィルム。）には、給湯器やヒートポンプ式の冷暖房装置などの複合機器の運転条件など、機器の動作を表示する状態表示装置に関して、図面とともに、
「機器本体またはリモートコントロールに表示装置を設け、機器の制御回路からの信号に応じて前記表示装置に複数の項目についての情報を同時に表示する機器の状態表示装置であって、拡大表示部と縮小表示部を有する液晶ディスプレイ素子を備え、縮小表示部には各項目についての現在の設定条件に関する情報を表示し、ある項目について設定条件を変更した場合においては、その項目についての変更後の設定条件に関する情報を前記拡大表示部に拡大して表示することを特徴とする。」（４頁１５行〜５頁６行）こと、
「第１図に示すように、給湯器１を遠隔操作するリモートコントロール２には液晶ディスプレイ素子３、給湯器１の運転条件の設定や変更などを行う操作部４、
前記液晶ディスプレイ素子３を駆動するドライブ回路５が設けられている。」
（６頁８行〜同１３行）こと、
「また、液晶ディスプレイ素子３は第２図から第４図に示すように、拡大表示部７、第１縮小表示部８、第２縮小表示部９を備えている。」（６頁１７行〜同１９行）こと、
「第２図に示すように、シャワーの絵１１と４２℃という数字を拡大表示部７に大きく表示し、リモートコントロール２を操作する者は、変更した設定条件等の情報を一目で確認することができる。このとき、第１縮小表示部８が浴槽内の湯温を表示し、第２縮小表示部９が暖房装置の吹出し温度を表示するため、設定条件を変更した項目（上記の例ではシャワー）以外の他の項目についての情報も同時に確認することができる。」（７頁７行〜同１５行）こと、
「この実施例は、液晶ディスプレイ素子３が第５図に示すように拡大表示部７と表示すべき項目数と同数で特定の項目に関する情報を表示する三つの縮小表示部、すなわち、第１、第２及び第３縮小表示部８、９、１０を備えている。その他の構成は第１図に示した第１の考案の実施例と同様である。上記の構成を有する実施例の状態表示装置においては、縮小表示部８〜１０が所定の各項目（シャワー、浴槽、暖房装置）についての情報を表示する一方で、例えばシャワーについての設定条件を湯温３７℃から４２℃に変更すると、第５図に示すように、拡大表示部７が変更した項目であるシャワーについての最新の情報を拡大表示する。これにより、操作者は、変更前と、変更後の設定条件を同時に知ることが可能となり、より微妙な調整を確実に行うことが可能になる。なお、ある項目について設定条件を変更した場合、拡大表示部７に先に表示された情報は各項目についての所定の縮小表示部８〜１０に転送されて縮小表示される。」（８頁１３行〜９頁１２行）こと、
が記載されている。
　
　甲第２号証（特開平９−１７０８０２号公報）には、空気調和機の運転条件を設定するワイヤレス式リモートコントロール装置に関して、図面とともに、
「リモートコントロール装置の機能は多様化の一途をたどり、表示内容はますます増える傾向にある。ただし、液晶表示部の大きさには限りがあるため、表示内容の増加は相対的な表示面積の縮小を招き、表示が小さくて見にくいというなどの不具合を生じている。」（段落【０００３】）こと、
「【００３４】つぎに、上記の構成の作用を説明する。
（１）一覧表示
　キー操作がないとき、図３に示すように、運転モード、設定温度、風量等の各種運転条件の基本パターン情報が表示部２で一覧表示される。基本パターン情報としては、予め定められた標準的な運転条件に対応するもの、また前回の運転で設定された運転条件に対応するものなど、いずれでもよい。
【００３５】（２）拡大表示
　一覧表示の状態で運転切換キー１１が操作されると、その運転切換キー１１に対応する運転条件のパターン情報として、たとえば冷房運転モードを表わす”冷房”という文字パターン情報が図４に示すように一覧表示に換わり拡大表示される。拡大表示される運転モードは、運転切換キー１１の操作ごとに切換えられる。確認キー２３が操作されると、そのとき表示されている運転モードが確定する。【００３６】確定から所定時間が経過すると、図５に示すように、運転モードの拡大表示といっしょに、キー操作に対応しない設定温度、風量等の他の運転条件の基本パターン情報が縮小表示される。」（段落【００３４】〜【００３６】）こと、
「【００３９】（３）現在時刻とタイマー時刻の並列表示
　図３の一覧表示がなされるているとき、タイマー切キー１７が操作されると、
図７に示すように、時計形の一対の画像パターンが一覧表示に換わり表示部２で表示される。表示される両画像パターンのうち、一方（左側）の画像パターンは現在時刻のアナログ表示を担うもので、指針部分が現在時刻に合わせて動く。他方（右側）の画像パターンはタイマー切時刻（運転停止時刻）のアナログ表示を担うもので、指針部分がタイマーキー１８の操作に応じて動く。……【００４３】……図９に示すように、現在時刻のデジタル表示とタイマ切時刻（またはタイマ入時刻）のデジタル表示を一画面で行うようにしてもよい。運転開始後は、図１０に示すように、砂時計の画像パターンを表示し、砂時計の砂部分をタイマー残時間に合わせて徐々に消すとともに、砂時計の画像パターンの下方にタイマー残時間を逐次にデジタル表示する。
【００４４】（４）確認表示
　運転中などに確認キー２３が操作されると、図１１に示されるように、設定されている全ての運転条件が所定時間ずつ順次に拡大表示される。」（段落【００３９】〜【００４４】）こと、
が記載されている。
　
　甲第３号証（特開平４−８４９４５号公報）には、超音波診断装置における作動条件を断層像と共にモニタ画面に表示する方法に関して、
「（１）作動条件を変更するのに伴って新たな作動条件パラメータが入力されたときに所定の時間作動するタイマを作動させ、このタイマが作動している間は入力された新たな作動条件パラメータを強調表示にて超音波断層画像と同時に表示すると共に、タイマの作動が停止したときには新たな作動条件パラメータの強調表示を通常表示に復帰させて超音波断層画像と同時に表示することを特徴とする超音波診断装置の作動条件表示方法。」（特許請求の範囲（１））
が記載されている。
　
　甲第４号証（特開平５−２０８０６２号公報）には、表示面にパチンコ遊技をを映像的に表示して遊技を行う映像式パチンコ遊技機に関して、図面とともに、「拡大選択ボタン２０は、拡大映像を表示される条件が成立したときに、映像表示器１２に拡大映像を表示させるか否かを選択するもので、拡大選択ボタン２０が操作されているときには、上記条件が成立したときに映像表示器１２に拡大映像が表示され、逆に拡大選択ボタン２０が操作されていないときに上記条件が成立しても拡大映像が表示されず、通常映像がそのまま継続して表示される。」（段落【００１０】）こと、
が記載されている。
　
（４）対比・判断
・本件発明１について
　本件発明１は、少なくとも以下の構成要件（ａ）を具備している。
（ａ）「上記第２の表示領域は、設定内容に変更がないときには、上記第１の表示領域で表示される第１の設定内容以外の第２の設定内容を常時表示し、設定内容が変更されたときに、その変更内容を所定時間拡大文字または拡大記号により表示し、その後再び上記常時表示に戻る構成であること」
　
　そこで、この構成要件（ａ）について検討する。
　甲第１号証に記載された「拡大表示部７」（本件発明１の「第２の表示領域」に相当する）に常時表示される内容は、第２図ないし第４図、第５図に示されるように、「縮小表示部８〜１０」（本件発明１の「第１の表示領域」に相当する）に表示された設定条件を変更した場合に、その縮小表示部８〜１０に表示される設定条件の内容を転送して表示するものであるから、「拡大表示部７」の設定内容と「縮小表示部８〜１０」の設定内容は同じものであり、本件発明１のように「上記第１の表示領域で表示される第１の設定内容以外の第２の設定内容を常時表示し」たものとは認められないし、また、設定条件を変更したときには、拡大表示部７に変更内容を表示しているものであるから、本件発明１の構成要件である「その変更内容を所定時間拡大文字または拡大記号により表示し、その後再び上記常時表示に戻る構成」が示されているものとは認められない。
　甲第２号証に記載されたものは、液晶表示部２を、本件発明１のような「第１の表示領域」と「第２の表示領域」とにしたものとは認められないから、第２の表示領域についての本件発明１の、「その後再び上記常時表示に戻る」という構成もなく、甲第２号証には、本件発明１の構成要件（ａ）の記載は認められない。
　甲第３号証に記載されたものは、超音波診断装置のモニタ画面の表示技術であって、空気調和機用ワイヤレスリモコンの表示装置ではないうえに、そのモニタ１０の画面を本件発明１のように、設定内容の異なる「第１の表示領域」、「第２の表示領域」とするものではないから、本件発明１の構成要件（ａ）の記載は認められない。
　甲第４号証に記載されたものは、映像式パチンコ遊技機の表示画面に関する技術であって、空気調和機用ワイヤレスリモコンの表示装置ではないうえに、その映像表示器１２を本件発明１のように、設定内容の異なる「第１の表示領域」、「第２の表示領域」とするものではないから、本件発明１の構成要件（ａ）の記載は認められない。
　
　そして、甲第１号証ないし甲第４号証に記載されたものを総合的に検討しても、本件発明１は、甲第１号証ないし甲第４号証に記載された発明に基づいて当業者が容易に発明をすることができたものとは認められない。
　
・本件発明２について
　本件発明２は、少なくとも以下の構成要件（ｂ）を具備している。
（ｂ）「上記操作部の操作により設定された設定内容を確認するための設定内容確認ボタンを有し、この設定内容確認ボタンが操作されたとき、上記第１の表示領域で表示されている表示内容を上記第２の表示領域で拡大して表示した後、設定内容を所定時間毎に順次表示し、前記所定時間を表示する設定内容によって異ならせること」
　
　そこで、この構成要件（ｂ）について検討する。
　甲第２号証には、確認キー２３が設けられているものの、液晶表示部２は、本件発明２のような「第１の表示領域」と「第２の表示領域」とを設けたものではないから、本件発明２のように「設定内容確認ボタンが操作されたとき、上記第１の表示領域で表示されている表示内容を上記第２の表示領域で拡大して表示した」ものとは認められないし、また、設定内容を所定時間毎に順次表示する構成についても、本件発明２のように「前記所定時間を表示する設定内容によって異ならせること」の構成についての記載もされていないから、甲第２号証には、本件発明２の構成要件（ｂ）の記載は認められない。
　甲第１号証、甲第３号証及び甲第４号証に記載されたものには、設定内容確認ボタンの構成が示されいないので、本件発明２の構成要件（ｂ）の構成が示されているとは認められない。
　
　そして、甲第１号証ないし甲第４号証に記載されたものを総合的に検討しても、本件発明２は、甲第１号証ないし甲第４号証に記載された発明に基づいて当業者が容易に発明をすることができたものとは認められない。
　
（５）むすび
　以上のとおりであるから、特許異議の申立ての理由及び証拠によっては、本件発明１及び本件発明２についての特許を取り消すことができない。
　また、他に本件発明１及び本件発明２についての特許を取り消すべき理由を発見しない。
　よって、結論のとおり決定する。
【異議決定日】
平成１６年８月３日（２００４．８．３）
【訂正の要旨】
審決（決定）の【理由】欄参照。
（５４）【発明の名称】
空気調和機用ワイヤレスリモコン
（５７）【特許請求の範囲】
　【請求項１】　
空気調和機本体の運転を遠隔制御するための操作部と、この操作部の操作により設定された上記運転の設定内容を表示する表示部とを有する空気調和機用ワイヤレスリモコンにおいて、上記表示部は、上記設定内容のうち所定の基本的な設定内容を示す文字や記号を予め決められた位置に固定表示する第１の表示領域と、設定内容が変更されたときに、変更後の設定内容を強調表示する第２の表示領域とを具備し、上記
上記
　【請求項２】　
空気調和機本体の運転を遠隔制御するための操作部と、この操作部の操作により設定された上記運転の設定内容を表示する表示部とを有する空気調和機用ワイヤレスリモコンにおいて、上記表示部は、上記設定内容のうち所定の基本的な設定内容を示す文字や記号を予め決められた位置に固定表示する第１の表示領域と、設定内容が変更されたときに、変更後の設定内容を強調表示する第２の表示領域とを具備し、上記
上記
上記
【発明の詳細な説明】
　【０００１】
　【発明の属する技術分野】
　本発明は、空気調和機の運転を遠隔制御する空気調和機用ワイヤレスリモコンに係り、特に空気調和機の運転モードの種々の設定内容を液晶等で表示する表示部の改良に関する。
　【０００２】
　【従来の技術】
　従来、この種の空気調和機用ワイヤレスリモコン（以下リモコンという）は各種操作ボタンの押圧操作により、空気調和機の種々の運転モードを設定し、その設定内容通りに空気調和機の運転を遠隔制御する一方、その設定内容を液晶等の表示部に表示している。
　【０００３】
　【発明が解決しようとする課題】
　しかしながら、近年では空気調和機の機能拡大等に伴って運転モードの設定内容を示す項目が増加しているので、その設定内容を表示する液晶表示部の大型化を招き、リモコン自体の大型化とコストアップを招いている。
　【０００４】
　一方、液晶表示部の大型化を防止する場合には多くの設定内容を示す文字等の表記が小さくなり、見えにくくなるという課題がある。
　【０００５】
　そこで本発明はこのような事情を考慮してなされたもので、その目的は、表示部の大型化を招かずに視認性の向上とコスト低減とを共に図ることができる空気調和機用ワイヤレスリモコンを提供することを目的とする。
　【０００６】
　【課題を解決するための手段】
　請求項１記載の発明は、空気調和機本体の運転を遠隔制御するための操作部と、この操作部の操作により設定された上記運転の設定内容を表示する表示部とを有する空気調和機用ワイヤレスリモコンにおいて、上記表示部は、上記設定内容のうち所定の基本的な設定内容を示す文字や記号を予め決められた位置に固定表示する第１の表示領域と、設定内容が変更されたときに、変更後の設定内容を強調表示する第２の表示領域とを
具備し、上記第２の表示領域は、設定内容に変更がないときには、上記第１の表示領域で表示される第１の設定内容外の第２の設定内容を常時表示し、設定内容が変更されたときに、その変更内容を所定時間拡大文字または拡大記号により表示し、その後再び上記常時表示に戻る構成であることを特徴とする
　【０００７】
　【０００８】
　【０００９】
　この発明によれば、
設定内容が変更されたときに変更後の設定内容を第２の表示領域で強調して表示するので、その設定内容の変更をユーザーに喚起して視認性をさらに向上させることができる。
　
また、
　【００１０】
　【００１１】
　【００１２】
　【００１３】
　【００１４】
　【００１５】
　【００１６】
　【００１７】
　【００１８】
　請求項２記載の発明は、
空気調和機本体の運転を遠隔制御するための操作部と、この操作部の操作により設定された上記運転の設定内容を表示する表示部とを有する空気調和機用ワイヤレスリモコンにおいて、上記表示部は、上記設定内容のうち所定の基本的な設定内容を示す文字や記号を予め決められた位置に固定表示する第１の表示領域と、設定内容が変更されたときに、変更後の設定内容を強調表示する第２の表示領域とを具備し、上記
上記
上記
　【００１９】
　この発明によれば、設定内容に応じて拡大表示の継続時間を異ならせるので、重要な設定内容は表示時間を長くし、それ以外の詳細な内容の表示時間を短くすれば、設定内容確認に掛かる時間を短くすることができる。
　【００２０】
　【００２１】
　【００２２】
　【発明の実施の形態】
　以下、図１〜図８を参照して本発明の実施形態を説明する。なお、これらの図中、同一または相当部分には同一符号を付している。
　【００２３】
　図１は本発明の第１の実施形態に係る空気調和機１の全体構成を示す斜視図である。この空気調和機１は室内機２に室外機３を冷媒配管４により接続して構成され、室内機２の受信部５に、ワイヤレス式のリモコン６から制御信号を赤外線等で送信することにより、空気調和機１の運転を制御信号の指令通りに遠隔制御するようになっている。
　【００２４】
　室内機２は後板本体７に装着される前面パネル８の前面上部に吸込口９を、前面下部に空調空気の吹出口１０をそれぞれ形成している。吹出口１０には左右風向調節板１０ａと上下風向調節板１０ｂとを揺動自在に設けている。室外機３は例えばその前面に吹出口１１を、その背面と側面とに吸込口１２をそれぞれ形成している。
　【００２５】
　図２はこのように構成される空気調和機１の冷凍サイクル図であり、この空気調和機１はコンプレッサ１３、四方弁１４、室外ファン１５を具備した室外熱交換器１６、膨張弁１７、室内ファン１８を具備した室内熱交換器１９を図１でも示す冷媒配管４によりこの順に順次接続して冷媒を可逆的に循環させる冷凍サイクルを構成している。なお、図２中、符号２０は室温を検出する室温センサーである。
　【００２６】
　この冷凍サイクルは四方弁１４の切換操作により冷媒を図中実線矢印方向に循環させることにより冷房運転され、図中破線矢印方向に循環させることにより暖房運転される。
　【００２７】
　図３は上記リモコン６の外観正面図であり、このリモコン６は細長偏平角筒状のリモコンケース２１の正面一端部上に液晶表示部２２を、その図中やや下方に操作部２３をそれぞれ配設している。
　【００２８】
　操作部２３は、押す毎に運転と停止とを繰り返して選択する反転スイッチボタンの運転／停止ボタン２４、昇温用温度設定ボタン２５、降温用温度設定ボタン２６、健康除湿（ドライ）運転ボタン２７、クリアボタン２８、冷房や暖房，ドライ等の基本的運転モードを押す毎に順次切り換える運転切換ボタン２９、風向設定ボタン３０、風量設定ボタン３１、安眠運転ボタン３２、リセットボタン３３、基本設定復帰モードと操作内容記憶モードを選択する選択手段である基本モード切換ボタン３４、空気清浄運転を選択するためのエアーランドリーボタン３５、設定内容確認ボタン３６、入タイマーボタン３７、切タイマーボタン３８、タイマー時刻設定ボタン３９、タイマー予約ボタン４０等をそれぞれ具備している。なお、図３中、符号４１はリモコン６の電源である電池である。
　【００２９】
　図４はこのリモコン６の液晶表示部２２の拡大正面図である。この液晶表示部２２はリモコン操作部２３の操作により設定された空気調和機１の運転モードの各種設定内容を液晶で表示するものであり、図中コの字状に配設された第１の表示領域４２と、この第１の表示領域４２のコ字状開口部内に配設された矩形状の第２の表示領域４３とを有する。
　【００３０】
　第１の表示領域４２は基本的な運転モード等所定の設定内容が表示される部分であり、予め決められた文字や記号が印刷された液晶パターンからなり基本的な運転モードが表示される運転モード表示部４２ａと、タイマーの入る時刻とタイマーの切れる時刻とがそれぞれ表示されるタイマー時刻表示部４２ｂと、風量等が表示される風量表示部４２ｃと、空気調和機１の運転電流が表示される運転電流表示部４２ｄとを有する。
　【００３１】
　運転モード表示部４２ａは運転切換ボタン２９が押圧される毎に、例えば自動（運転）→冷房（運転）→ドライ（運転）→暖房（運転）→自動（運転）と順次切り換えてサイクリックに表示される部分である。
　【００３２】
　タイマー時刻表示部４２ｂは、入タイマーボタン３７，切タイマーボタン３８，タイマー時刻設定ボタン３９およびタイマー予約ボタン４０の所定操作により、運転停止中の空気調和機１の運転を開始させる時刻と、運転中の空気調和機１の運転を停止させる時刻とが表示される部分である。
　【００３３】
　風量表示部４２ｃは風量設定ボタン３１の押圧毎に、自動→しずか→微風→弱風→強風→自動と順次切り換えてサイクリックに表示する部分であり、微，弱，強風は例えば文字ではなく、小中大３つのブロック状体表記の個数の多少により表示されるようになっている。
　【００３４】
　一方、第２の表示領域４３は、ドットマトリクス状の液晶パターンからなり、リモコンの表示プログラムにより、表示内容を切り換えるようになっており、第１の表示領域４２で表示される設定内容以外の設定内容、例えば設定温度を第１の表示領域４２の表示よりも大きい文字等で常時表示する。そして、使用者によりリモコンが操作されて、第１の表示領域４２で表示される基本的運転モード等が切り換えられた場合には、その切り換えられた設定内容に表示切り換し表示されるが、その後は再び設定温度が常時表示される。
　【００３５】
　例えば図５（Ａ）に示すように、基本的運転モードが冷房（運転）に切り換えられると、第１の表示領域４２の運転モード表示部４２ａに冷房の文字が表示されると共に、その冷房の文字よりも大きい冷房の文字が第２の表示領域４３に所定時間（例えば３秒間）点滅表示される。
　【００３６】
　そして、その所定時間経過後は図５（Ｂ）に示すように再び設定温度（例えば２４℃）等を表示するノーマル表示に戻り、以後、このノーマル表示が次の切換表示まで続行される。
　【００３７】
　図６（Ａ）はこれと同様に例えば風量を微風に切り換えた場合の液晶表示部２２の表示例を示している。この場合は第１の表示領域４２の風量表示部４２ｃに、風量の文字と、微風を表わす１個の小ブロック状体表記４２ｃ１とを表示すると共に、第２の表示領域４３に、大きな書体で微風という文字を所定時間点滅表示する。
　【００３８】
　そして、所定時間後は図５（Ｂ）に示すように再び設定温度（例えば２４℃）等を表示するノーマル表示に戻り、以後このノーマル表示が次の切換表示まで続行される。
　【００３９】
　したがって、運転モードの設定内容が変更されると、その変更内容が第１の表示領域４２に表示されると共に、第２の表示領域４３にも所定時間表示され、しかも大きく表示されるので、その設定内容の変更をユーザーは容易に知ることができる。つまり、液晶表示部２２の視認性が向上する。
　【００４０】
　そして、第２の表示領域４３は設定内容確認ボタン３６が押圧されたときには、そのときまでに設定されている設定内容が１つずつ所定時間毎に順次表示され、最後にノーマル表示に戻るようになっている。
　【００４１】
　図７（Ａ）〜（Ｃ）はこのような場合の第２の表示領域４３の表示例を示している。すなわち、設定内容確認ボタン３６が押圧されると、図７（Ａ）に示すように第２の表示領域４３に、これまでに設定されている種々の設定内容の例えば冷房の大きな文字がまず所定時間表示される。
　【００４２】
　次に、図７（Ｂ）に示すように冷房の文字に代えて微風の大きな文字が所定時間表示され、その後図７（Ｃ）に示すように、再び設定温度（２４℃）を示すノーマル表示に戻る。
　【００４３】
　したがって、第２の表示領域４３の大きな文字によりこれまでに設定されている設定内容を確認することができる。
　【００４４】
　そして、第２の表示領域４３は、図８（Ａ），（Ｂ）に示すように、例えばエアーランドリーボタン３５が押圧されて空気清浄運転が設定されたときに、その空気清浄運転をイメージする図形、例えば室内機２が多数の点で示す塵埃を吸い込む前後の状態を示す複数の図面を時系列で順次表示することにより動画的に表示するようになっている。
　【００４５】
　したがって、空気清浄運転等の特殊なメリット運転の機能や作用効果等をユーザーに容易、かつ強くアピールすることができる。
　【００４６】
　なお、上記実施例では、設定内容確認ボタン３６の押圧後に所定時間毎に設定内容を順次表示しているが、設定内容の種類に応じて表示時間を異ならせてもよく、例えば基本的運転モードの表示時間を長くし、それ以外の設定内容を短くすることにより、設定内容の確認に掛かる時間を短くすることができる。
　【００４７】
　【発明の効果】
　以上説明したように本発明は、空気調和機の運転モードの設定内容を第１の表示領域と第２の表示領域とによりそれぞれ表示するので、全設定内容を第１の表示領域のみで表示する場合にはそれらの設定内容を示す表記が小さくなって視認性が低下するのを防止することができる一方、全設定内容を第２の表示領域のみで表示する場合にはこの第２の表示領域の大型化を招いてリモコン自体の大型化とコストが増大するのを防止することができる。
　【００４８】
　また、設定内容が変更されたときには、その変更内容を第２の表示領域でも表示するので、その設定内容の変更をユーザーに喚起して視認性をさらに向上させることができる。
【図面の簡単な説明】
　【図１】
　本発明の第１の実施形態に係る空気調和機の全体構成を一部切り欠いて示す外観斜視図。
　【図２】
　図１で示す空気調和機の冷凍サイクル図。
　【図３】
　図１で示すリモコンの全体を示す正面図。
　【図４】
　図１で示すリモコンの液晶表示部の拡大正面図。
　【図５】
　図４で示すリモコンの液晶表示部による表示の一例を示し、（Ａ）は冷房運転に切り換えられたときの表示の一例を示す表示部の正面図、（Ｂ）は同図（Ａ）の表示後に切り換えられるノーマル表示の一例を示す表示部の正面図。
　【図６】
　図４で示すリモコン表示部による表示の一例を示し、（Ａ）は微風運転に切り換えられたときの表示の一例を示す表示部の正面図、（Ｂ）は同図（Ａ）の表示後に切り換えられるノーマル表示の一例を示す表示部の正面図。
　【図７】
　（Ａ），（Ｂ），（Ｃ）は設定内容確認ボタンが押圧されたときの表示の一例を時系列で示すリモコン表示部の正面図。
　【図８】
　（Ａ），（Ｂ）は空気清浄運転のイメージを第２の表示領域により動画的に表示する場合の表示の一例をそれぞれ示すリモコン表示部の正面図。
　【符号の説明】
　１　空気調和機
　６　リモコン
　２２　リモコンの液晶表示部
　４２　第１の表示領域
　４３　第２の表示領域